(57)【特許請求の範囲】
【請求項１】
３原色に対応する複数の画素部が配列された表示パネルと、３原色の各カラー信号をそれぞれ補正して該表示パネルに供給する信号補正部とを有し、
該信号補正部は、無彩色の３刺激値階調特性の測定値と、３原色の各３刺激値階調特性の測定値を合成した合成３刺激値階調特性との比を補正係数として、３原色の各３刺激値階調特性の測定値のそれぞれを補正し、補正された３原色の各３刺激値階調特性から３原色を合成した色度を算出した場合に、算出された色度と、加法混色の原理が成立したときに生成されるべき目標色度との差が最小となるように３原色の各カラー信号を補正するカラー表示装置。
【請求項２】
前記信号補正部は、少なくとも入力階調レベルの高領域および中領域において、無彩色が、その入力階調レベルに関わらず一定の色度となるように３原色の各カラー信号を補正する請求項１記載のカラー表示装置。
【請求項３】
前記信号補正部は、３原色の各カラー信号毎に設けられた補正用ルックアップテーブルを用いて該３原色の各カラー信号を補正する請求項１または２記載のカラー表示装置。
【請求項４】
前記信号補正部は、無彩色の目標色度が無彩色の最大階調値における色度点として、３原色の各カラー信号を補正する請求項１〜３の何れかに記載のカラー表示装置。
【請求項５】
前記信号補正部は、無彩色の目標色度が無彩色の最大階調値における色度点と異なる色度点として、３原色の各カラー信号を補正する請求項１〜３の何れかに記載のカラー表示装置。
【請求項６】
前記信号補正部は、無彩色の目標色度が黒体放射軌跡上の一点として、３原色の各カラー信号を補正する請求項５記載のカラー表示装置。
【請求項７】
前記信号補正部において、前記入力階調レベルが入力されて３原色の各カラー信号が補正され、該信号補正部からの出力レベルの最大値が該３原色の各カラー信号毎に異なっている請求項５または６記載のカラー表示装置。
【請求項８】
前記信号補正部において、前記入力階調レベルが入力され該入力階調レベルに応じて３原色の各カラー信号が補正され、該信号補正部からの青色信号の出力レベルが緑色信号および赤色信号の各出力レベルよりも低くなるように該３原色の各カラー信号を補正する請求項１〜７の何れかに記載のカラー表示装置。
【請求項９】
前記信号補正部は、緑色信号の階調レベルを基準として、赤色信号および青色信号を補正する請求項１〜８の何れかに記載のカラー表示装置。
【請求項１０】
前記表示パネルは、無彩色出力時のガンマ特性が２．０以上２．４以下の範囲とされている請求項１記載のカラー表示装置。
【請求項１１】
３原色のうちの第１原色の３刺激値階調特性の測定値、第２原色の３刺激値階調特性の測定値、および第３原色の３刺激値階調特性の測定値を合成するステップと、
合成された３刺激値階調特性に対する無彩色の３刺激値階調特性の測定値の比を補正係数として、３原色の各３刺激値階調特性の測定値をそれぞれ補正するステップと、
補正された３原色の各３刺激値階調特性から３原色を合成した色度を算出した場合に、算出された色度と、加法混色の原理が成立したときに生成されるべき目標色度との差が最小値となるように、３原色の各カラー信号をそれぞれ補正するステップとを含むカラー表示補正方法。
【発明の詳細な説明】
【０００１】
【発明の属する技術分野】
本発明は、例えばカラーノートブック型パーソナルコンピュータのカラーディスプレイなどの各種画面の色再現性を向上させるために、各カラーディスプレイの非線形表示特性を考慮してカラー信号を補正するカラー液晶表示装置などのカラー表示装置およびカラー表示補正方法に関する。
【０００２】
【従来の技術】
従来、カラー表示装置において、カラー表示パネルに表示される画像は、微小な多数の３原色画素Ｒ(赤)、Ｇ(緑)、Ｂ(青)から構成されており、外部からカラー表示パネルにカラー信号を入力して各３原色画素からの色を加法混色の原理に従って合成することによって、多様な色を表現してカラー画像を表示している。人間の視覚は、これらの微小な３原色画素の色が空間的に合成された色として認知されている。
【０００３】
加法混色の原理については、例えば、大田登氏の“色再現工学の基礎”、p．66-69（コロナ社、1997）などに記載されており、この加法混色の原理をほぼ完全に適用することができるカラー表示装置としてはＣＲＴ（Cathode  Ray  Tube）が挙げられる。
【０００４】
以下に、カラー表示装置において、加法混色により色の合成値を計算する方法について詳細に説明する。
【０００５】
３原色画素であるＲＧＢの各画素部に対して個別に入力カラー信号を与えた場合、各画素から出力されるＲＧＢの３原色を合成して人間の目に知覚される３刺激値階調特性（ＸWs(N)、ＹWs(N)、ＺWs(N)）は、各色画素からの出力（３刺激値：Ｘ，Ｙ，Ｚ）から計算され、
ＸWs(N)=ＸR(N)+ＸG(N)+ＸB(N)
ＹWs(N)=ＹR(N)+ＹG(N)+ＹB(N)
ＺWs(N)=ＺR(N)+ＺG(N)+ＺB(N)
のように表される。
【０００６】
上記各式において、Ｎは入力信号の階調値であり、例えば入力信号が８ビットデータの場合には０〜２５５の整数値である。また、Ｒ（Ｎ）はＲの画素に階調値Ｎの赤色信号を入力した場合、Ｇ（Ｎ）はＧの画素に階調値Ｎの緑色信号を入力した場合、Ｂ（Ｎ）はＢの画素に階調値Ｎの青色信号を入力した場合をそれぞれ示しており、Ｗｓ（Ｎ）は階調値Ｎにおける各画素の特性値を合成計算した白色信号を入力する場合を示している。
【０００７】
なお、この３刺激値階調特性は、カラー表示装置への入力信号（階調値）に対して表示パネルから得られる３刺激値（Ｘ，Ｙ，Ｚ）を表し、例えば刺激値Ｙの階調特性（輝度階調特性）は、表示パネルのガンマ（入力信号-発光）特性を示している。
【０００８】
このように、カラー表示パネルにおいて、各３原色の色度点は、その色の画素部に入力されるカラー信号の階調値（入力階調値Ｎ）によって変化するので、加法混色の原理に従って任意の色度を求めるためには、各色の画素部に入力されるカラー信号（階調値Ｎ）に対する３刺激値階調特性（ＸN、ＹN、ＺN）を加算することになる。
【０００９】
従来のカラー表示装置においては、あくまで、このような加法混色の原理が成立するものとして、カラー表示特性の補正が行われており、例えば、カラー液晶パネルの青色偏移特性を補正するために、入力される青色信号の階調レベルのみを他のカラー信号（緑色信号や赤色信号）の階調レベルよりも低くするという補正方法が用いられている。
【００１０】
また、カラー液晶パネルの青色偏移特性を補正するためのルックアップテーブル（色補正用の比較表、Ｌｏｏｋ−Ｕｐ−Ｔａｂｌｅ：以下、ＬＵＴと称する)を用いて、青色信号のみが補正されている。例えば、本願出願人は、特開2001-42833号公報において、カラー液晶パネルの青色偏移特性を補正するため、主として青色信号に対してのみ補正用ＬＵＴを用いて補正を行うカラー表示装置を提案している。
【００１１】
【発明が解決しようとする課題】
しかしながら、加法混色の結果と、ＲＧＢの各画素部に入力される信号レベルとを対応させて考えると、両者は単純に比例しているわけではなく、カラー表示装置によっては、この加法混色の原理を完全に適用することができないものもある。例えば、カラー液晶表示装置は、加法混色の原理にある程度従うカラー表示装置であるが、この加法混色の原理を完全に適用することはできず、ＲＧＢの各画素部に個別にカラー信号を入力したときの特性値を加法混色の原理に従って合成することにより求められた３刺激値階調特性（ＸWs(N)、ＹWs(N)、ＺWs(N)）の計算値は、入力信号として無彩色（ＲＧＢの各画素に対して同じ階調値Ｎのカラー信号を同時に入力）を与えたときに計測される３刺激値階調特性（ＸW(N)、ＹW(N)、ＺW(N)）の実測値とは異なったものとなっている。
【００１２】
ここで、ＸW(N)は階調値Ｎのカラー信号をＲＧＢの各画素部に同時入力した場合の刺激値Ｘの値、ＹW(N)は階調値Ｎのカラー信号をＲＧＢの各画素部に同時入力した場合の刺激値Ｙの値、ＺW(N)は階調値Ｎのカラー信号をＲＧＢの各画素部に同時入力した場合の刺激値Ｚの値を示す。また、無彩色とは、いわゆる白〜灰色〜黒であり、入力信号がＲＧＢとも同じである場合に表示される色のことを示す。
【００１３】
このように、加法混色の原理を完全に適用することができず、ＲＧＢの各画素部に個別にカラー信号を入力したときの特性値を加法混色の原理に従って合成した３刺激値階調特性（ＸWs(N)、ＹWs(N)、ＺWs(N)）の計算値と、入力信号として無彩色（ＲＧＢの各画素に対して同じ階調値Ｎのカラー信号を同時に入力）を与えたときに計測される３刺激値階調特性（ＸW(N)、ＹW(N)、ＺW(N)）の実測値とが一致しないという現象は、特に、カラー液晶パネルのように、光源とカラーフイルターとによって光が分離されて出力されるカラー表示パネルにおいて顕著に現れる。
【００１４】
以下に、従来のカラー液晶パネルにおいて、加法混色の原理を完全に適用することができない加法則の不一致についてさらに詳しく説明する。
【００１５】
図１０は、従来のカラー液晶パネルにおける無彩色の３刺激値階調特性（Ｘ，Ｙ，Ｚ）を示す図である。ここで、横軸の入力階調値は８ビットのデジタル値（０〜２５５の整数値）を示し、縦軸は輝度（ｃｄ／ｍ2）を示している。
【００１６】
図１０に示すように、カラー液晶パネルにおいて、入力信号として無彩色（ＲＧＢの各画素部に対して同じ階調値Ｎのカラー信号を同時に入力）を与えたときに計測される輝度階調特性ＹW(N)（黒四角印で示す曲線：計測値）と、ＲＧＢの各画素部に個別にカラー信号を入力したときの特性値を加法混色の原理に従って合成して得られる輝度階調特性ＹWs(N)＝ＸR(N)＋ＹG(N)＋ＺB(N) （白抜き四角印で示す曲線（合成値））とは輝度が異なったものとなっている。
【００１７】
また、図１０における輝度階調特性の等価ガンマ値についても、計測値では２．１５、合成値では２．８１であり、異なったものとなっている。同様に、他の刺激値Ｘ，Ｚについても、計測値と合成値とでは階調特性に不一致が見られる。
【００１８】
例えば、図１０において、入力カラー信号（赤、緑、青）として、Ｒ(255、0、0)、Ｇ(0、255、0)、Ｂ(0、0、255)を与えたときの３刺激値階調特性を加算して得られる輝度階調特性ＹWs(255)は３２９ｃｄ／ｍ2であるが、入力信号として白（255、255、255）を与えたときに計測して得られる輝度階調特性ＹW(255)は３４８ｃｄ／ｍ2であり、合成値（加法混色による合成値）と計測値（実測値）とは一致していない。これによって、加法混色の原理が成立していないことが判る。
【００１９】
図１１は、従来のカラー液晶パネルにおいて、入力信号の階調を変化させたときの無彩色の色度（ｘ、ｙ）の変化を示す図である。ここで、横軸は色度ｘ、縦軸は色度ｙを示している。図１１では、入力カラー信号として最大の階調値（白）が与えられている点（図１１の右上方向）から、階調値が全体の約１／４程度の低階調レベルの領域まで、階調値が低くなるに従って、表示色が青方向にシフトしており、カラー液晶パネルの青色偏移特性が示されている。
【００２０】
図１１に示すように、入力信号として無彩色（ＲＧＢの各画素に対して同じ階調値Ｎのカラー信号を同時に入力）を与えたときに計測される輝度階調特性ＹW(N)（黒四角印で示す曲線：計測値）は、ＲＧＢの各画素部に個別にカラー信号を入力したときの特性値を加法混色の原理に従って合成して得られる輝度階調特性ＹWs(N)＝ＸR(N)＋ＹG(N)＋ＺB(N)） （白抜き四角印で示す曲線（合成値））と一致していない。
【００２１】
例えば、図１１において、入力カラー信号（赤、緑、青）として、Ｒ(255、0、0)、Ｇ(0、255、0)、Ｂ(0、0、255)を与えたときの３刺激値階調特性を加算して得られる色度点（ｘ＝0.2768、ｙ＝0.2925）、相関色温度は１０１９２度であるが、入力信号として白（255、255、255）を与えたときに計測して得られる色度点は（ｘ＝0.282、ｙ＝0.298）、相関色温度は９３７２度であり、合成値（加法混色による計算値）と計測値（実測値）とは一致していない。これによって、加法混色の原理が成立していないことが判る。
【００２２】
上述したように、従来のカラー表示装置においては、加法混色の原理が成立するものとして、入力される青色信号の階調レベルのみを他のカラー信号（緑色信号や赤色信号）の階調レベルよりも低くして、青色偏移特性を補正する方法が用いられていた。このため、加法混色の原理を完全に適用することができないカラー液晶表示装置などでは、補正の精度が低く、充分な補正を行うことができなかった。
【００２３】
また、従来においては、カラー液晶パネルの青色偏移特性を補正するために、ＬＵＴ（ルックアップテーブル）を用いて青色信号のみが補正されていた。しかしながら、このように青色信号に対してのみ補正を行う方法では、補正後の色度点を一点に集めることができず、入力階調レベルによって無彩色の表示色に色ずれが生じていた。
【００２４】
本発明は、上記従来の問題を解決するもので、加法混色による計算値と実測値とを一致させてカラー液晶パネルの表示特性を高精度に補正することができるカラー表示装置およびカラー表示補正方法を提供することを目的とする。
【００２５】
【課題を解決するための手段】
本発明のカラー表示装置は、３原色に対応する複数の画素部が配列された表示パネルと、３原色の各カラー信号をそれぞれ補正して該表示パネルに供給する信号補正部とを有し、この信号補正部は、無彩色の３刺激値階調特性の測定値と、３原色の各３刺激値階調特性の測定値を合成した合成３刺激値階調特性との比を補正係数として、３原色の各３刺激値階調特性の測定値のそれぞれを補正し、補正された３原色の各３刺激値階調特性から３原色を合成した色度を算出した場合に、算出された色度と、加法混色の原理が成立したときに生成されるべき目標色度との差が最小となるように３原色の各カラー信号を補正するものであり、そのことにより上記目的が達成される。
【００２６】
また、好ましくは、本発明のカラー表示装置における信号補正部は、少なくとも入力階調レベルの高領域および中領域において、無彩色が、その入力階調レベルに関わらず一定の色度となるように３原色の各カラー信号を補正する。
【００２７】
さらに、好ましくは、本発明のカラー表示装置における信号補正部は、３原色の各カラー信号毎に設けられた補正用ルックアップテーブルを用いて３原色の各カラー信号を補正する。
【００２８】
さらに、好ましくは、本発明のカラー表示装置における信号補正部は、無彩色の目標色度が無彩色の最大階調値における色度点として、３原色の各カラー信号を補正する。
【００２９】
さらに、好ましくは、本発明のカラー表示装置における信号補正部は、無彩色の目標色度が無彩色の最大階調値における色度点と異なる色度点として、３原色の各カラー信号を補正する。
【００３０】
さらに、好ましくは、本発明のカラー表示装置における信号補正部は、無彩色の目標色度が黒体放射軌跡上の一点として３原色の各カラー信号を補正する。
【００３１】
さらに、好ましくは、本発明のカラー表示装置における信号補正部において、前記入力階調レベルが入力されて３原色の各カラー信号が補正され、該信号補正部からの出力レベルの最大値が該３原色の各カラー信号毎に異なっている。
【００３２】
さらに、好ましくは、本発明のカラー表示装置における信号補正部において、前記入力階調レベルが入力され該入力階調レベルに応じて３原色の各カラー信号が補正され、該信号補正部からの青色信号の出力レベルが緑色信号および赤色信号の各出力レベルよりも低くなるように該３原色の各カラー信号を補正する。
【００３３】
さらに、好ましくは、本発明のカラー表示装置における信号補正部は、緑色信号の階調レベルを基準として、赤色信号および青色信号を補正する。
【００３４】
さらに、好ましくは、本発明のカラー表示装置における表示パネルは、無彩色出力時のガンマ特性が２．０以上２．４以下の範囲とされている。
【００３５】
また、本発明のカラー表示補正方法は、３原色のうちの第１原色の３刺激値階調特性の測定値、第２原色の３刺激値階調特性の測定値、および第３原色の３刺激値階調特性の測定値を合成するステップと、合成された３刺激値階調特性に対する無彩色の３刺激値階調特性の測定値の比を補正係数として、３原色の各３刺激値階調特性の測定値をそれぞれ補正するステップと、補正された３原色の各３刺激値階調特性から３原色を合成した色度を算出した場合に、算出された色度と、加法混色の原理が成立したときに生成されるべき目標色度との差が最小値となるように３原色の各カラー信号をそれぞれ補正するステップとを含むものであり、そのことにより上記目的が達成される。
【００３６】
上記構成により、以下に、本発明の作用について説明する。
【００３７】
本発明にあっては、３原色（ＲＧＢ）のそれぞれの３刺激値階調特性の測定値を合成し、無彩色の３刺激値階調特性の測定値と、合成された３刺激値階調特性との比を補正係数として、各色の３刺激値階調特性の測定値のそれぞれを補正し、補正された各色の３刺激値階調特性から３色を合成した任意の色度を算出することができる。この方法によれば、無彩色の色度の計算値（加法混色による合成値）と実測値とを一致させることができるので、例えばカラー液晶パネルにおける青色偏移特性を補正するために、カラー信号の補正を行う際に、補正の精度を向上させることが可能となる。
【００３８】
補正された各色の３刺激値階調特性から３色を合成した色度を算出した場合に、無彩色が入力階調レベルに関わらず、ほぼ一定の色度となるように、３原色の各カラー信号を補正することによって、無彩色を表示する際に基準色からの色ずれを防ぐことができる。なお、入力階調レベルが低い領域（例えば全階調の約１／４以下）では、液晶パネルの光漏れや光分散などによって目標色度に集中させることができない。このため、少なくとも入力階調レベルが高い領域および中程度の領域において、算出された色度と目標色度との差が最小値になるように、カラー信号を補正することが可能となる。
【００３９】
各カラー信号毎に、予め補正用データを計算して補正用ルックアップテーブル（Ｌｏｏｋ−Ｕｐ−Ｔａｂｌｅ：色補正用の比較表）に設定しておくことによって、表示パネルに供給される３原色の各カラー信号に対する補正処理をさらに容易に行うことが可能となる。
【００４０】
無彩色の目標色度は、例えば無彩色の最大階調値における色度点としてもよく、それ以外の色度点としてもよい。目標色度を無彩色の最大階調値以外の色度点とした場合には、各カラー信号で出力レベルの最大値は異なったものになる。また、無彩色の目標色度を、黒体放射軌跡の近傍の点とすることによって、無彩色に着色（緑色やマゼンタ色等の色味）が生じることを防ぐことができる。
【００４１】
青色信号の出力レベルを、緑色信号および赤色信号の各出力レベルよりも低く設定することによって、カラー液晶パネルなどにおける青色偏移特性を補正することが可能となる。この場合、青色信号、緑色信号および赤色信号のそれぞれを補正することができるが、緑色信号の階調レベルを基準として赤色信号および青色信号を補正することによって、カラー液晶パネルにおいてガンマ値の補正による表示特性の変動を抑制することが可能となる。また、青色信号に加えて、赤色信号を補正することによって、無彩色の色度を目標色度に集中させることができ、無彩色の表示色の変化を防ぐことが可能となる。
【００４２】
カラー液晶パネルにおいて、無彩色出力時のガンマ特性を２．０以上２．４以下の範囲に設定することによって、インターネットなどによって配信される画像データに対しても、充分な表示特性を得ることが可能となる。
【００４３】
【発明の実施の形態】
以下に、本発明のカラー表示装置の実施形態を、カラー液晶パネルを持つカラー液晶表示装置に適用した場合について図面を参照しながら説明する。なお、本発明は、カラー液晶パネルの他、カラープラズマパネルやカラーＥＬ（Ｅｌｅｃｔｒｏ  Ｌｕｍｉｎｅｓｃｅｎｃｅ；エレクトロルミネセンス）パネルなど、カラー信号の補正が必要とされるカラー表示パネル持つカラー表示装置であれば、カラー液晶パネルと同様に適用することが可能である。
【００４４】
図１は、本発明のカラー液晶表示装置の一実施形態における要部構成を示すブロック図である。
【００４５】
図１において、カラー液晶表示装置１は、３原色（ＲＧＢ）に対応する複数の画素部がマトリクス状に配列された表示パネルとしてのカラー液晶パネル２と、その前段部として、３原色の各カラー信号を補正してカラー液晶パネル２に供給する信号補正部３とを有している。
【００４６】
信号補正部３は、赤色信号用ルックアップテーブル部（ＬＵＴ−Ｒ；赤色信号用ＬＵＴ）３ａ、緑色信号用ルックアップテーブル部（ＬＵＴ−Ｇ；緑色信号用ＬＵＴ）３ｂおよび青色信号用ルックアップテーブル部（ＬＵＴ−Ｂ；青色信号用ＬＵＴ）３ｃを有し、カラー液晶パネル２に入力される赤色入力信号（Ｒ）、緑色入力信号（Ｇ）および青色入力信号（Ｂ）はそれぞれ、赤色信号用ＬＵＴ３ａ、緑色信号用ＬＵＴ３ｂおよび青色信号用ＬＵＴ３ｃをそれぞれ経由して、各種画面の色再現性向上のために非線形表示特性を考慮して所定の補正が為された後にカラー液晶パネル２に供給される。即ち、ＬＵＴ３ａ〜３ｃはそれぞれ、本発明の特徴構成およびその具体例１〜４として詳細に後述するが、無彩色の３刺激値階調特性の測定値と、３原色の各３刺激値階調特性の測定値を合成した合成３刺激値階調特性との比を補正係数として、３原色の各３刺激値階調特性の測定値のそれぞれを補正し、補正された３原色の各３刺激値階調特性から３色を合成した色度を算出した場合に、算出された色度と目標色度との差が最小値になるように３原色の各カラー信号をそれぞれ補正する。さらに、ＬＵＴ３ａ〜３ｃには、カラー液晶パネル２の青色偏移特性を補正するために、ＲＧＢの各カラー信号に対応して独立して制御されており、カラー液晶パネル２に入力される入力階調レベルが低い領域（全階調の約１／４以下）を除く、入力階調レベルが高い領域および中程度の領域において、無彩色の色度点を一点に集中させることができるように、予め補正用のデータが設定されている。これによって、入力階調レベルによって無彩色の表示色に変化が生じることを防ぐことができる。
【００４７】
なお、図１では、模式的に機能ユニット（ハード構成）としてブロック化して示しているが、これに限らず、カラー信号を補正する処理は、ソフトウェア構成（ＣＰＵと制御プログラムが記憶された記憶部とで構成）にて行うことも可能である。
【００４８】
ここで、本発明の特徴構成としての加法混色計算方法について、以下、詳細に説明する。
【００４９】
カラー液晶表示装置１において、無彩色の３刺激値階調特性の測定値が（ＸW(N)、ＹW(N)、ＺW(N)）、赤色原色の３刺激値階調特性の測定値が（ＸR(N)、ＹR(N)、ＺR(N)）、緑色原色の３刺激値階調特性の測定値（ＸG(N)、ＹG(N)、ＺG(N)）、青原色の３刺激値階調特性の測定値が（ＸB(N)、ＹB(N)、ＺB(N)）である場合に、３原色を合成した３刺激値階調特性（ＸWs(N)、ＹWs(N)、ＺWs(N)）は、
ＸWs(N)＝ＸR(N)＋ＸG(N)＋ＸB(N)
ＹWs(N)＝ＹR(N)＋ＹG(N)＋ＹB(N)
ＺWs(N)＝ＺR(N)＋ＺG(N)＋ＺB(N)
として求めることができる。
【００５０】
このとき、無彩色の３刺激値階調特性の測定値（ＸW(N)、ＹW(N)、ＺW(N)）と、求められた３原色を合成した３刺激値階調特性（ＸWs(N)、ＹWs(N)、ＺWs(N)）との比
ＣX＝ＸW(N)／ＸWs(N)
ＣY＝ＹW(N)／ＹWs(N)
ＣZ＝ＺW(N)／ＺWs(N)
を、各色の３刺激値階調特性の測定値を補正するための補正係数として用いることができる。
【００５１】
図２は、本発明における３刺激値（Ｘ、Ｙ、Ｚ）に対する補正係数の一例を示す図である。図２では、図１０に示す入力信号として無彩色（ＲＧＢの各画素部に対して同じ階調値Ｎのカラー信号を同時に入力）を与えたときに計測される３刺激値階調特性（計測値）と、ＲＧＢの各画素に個別にカラー信号を入力したときの特性値を加法混色の原理に従って合成して得られる３刺激値階調特性（合成値）とを一致させるための補正係数曲線を示している。
【００５２】
図２において、横軸の入力階調値は８ビットのデジタル値（０〜２５５の整数値）を示し、縦軸は補正係数値を示している。また、菱形印で示す曲線は刺激値Ｘ、四角印で示す曲線は刺激値Ｙ、三角印で示す曲線は刺激値Ｚに対する補正係数の曲線をそれぞれ示している。
【００５３】
この補正係数値（ＣX、ＣY、ＣZ）を用いて、赤色原色の３刺激値階調特性（ＸR(N)、ＹR(N)、ＺR(N)）を、
Ｘ’R(N)＝ＣX×ＸR(N)
Ｙ’R(N)＝ＣY×ＹR(N)
Ｚ’R(N)＝ＣZ×ＺR(N)
と補正し、緑色原色の３刺激値階調特性（ＸG(N)、ＹG(N)、ＺG(N)）を、
Ｘ’G(N)＝ＣX×ＸG(N)
Ｙ’G(N)＝ＣY×ＹG(N)
Ｚ’G(N)＝ＣZ×ＺG(N)
と補正し、青色原色の３刺激値階調特性（ＸB(N)、ＹB(N)、ＺB(N)）を、
Ｘ’B(N)＝ＣX×ＸB(N)
Ｙ’B(N)＝ＣY×ＹB(N)
Ｚ’B(N)＝ＣZ×ＺB(N)
と補正して、任意の色度を計算するための加法混色計算を行うことが可能となる。
【００５４】
このようにして、補正された３刺激値階調特性を用いて加法混色計算を行うことにより、ＲＧＢの３色を合成した無彩色の色度（計算値）は、
ＸS(N)＝Ｘ’R(N)＋Ｘ’G(N)＋Ｘ’B(N)＝ＣX×（ＸR(N)＋ＸG(N)＋ＸB(N)） ＝ＣX×ＸWs(N)＝ＸW(N)
ＹS(N)＝Ｙ’R(N)＋Ｙ’G(N)＋Ｙ’B(N)＝ＣY×（ＹR(N)＋ＹG(N)＋ＹB(N)） ＝ＣY×ＹWs(N)＝ＹW(N)
ＺS(N)＝Ｚ’R(N)＋Ｚ’G(N)＋Ｚ’B(N)＝ＣZ×（ＺR(N)＋ＺG(N)＋ＺB(N)） ＝ＣZ×ＺWs(N)＝ＺW(N)
となり、計算値（合成値）と計測した無彩色の色度（実測値）とを一致させることができる。
【００５５】
このようにして、３原色の３刺激値階調特性の測定値を補正して得られる補正３刺激値階調特性は、加法混色の計算値が実測値と一致するため、任意の色度を計算する際に用いることができる。
【００５６】
例えば、図１１に示すカラー液晶パネルの青色偏移特性を補正するためには、３原色の補正３刺激値階調特性を用いて３色の加法混色計算を行い、３色合成の色度（ｘS(N)、ｙS(N)）
ｘS(N)＝ＸS(N)／（ＸS(N)＋ＹS(N)＋ＺS(N)）
ｙS(N)＝ＹS(N)／（ＸS(N)＋ＹS(N)＋ＺS(N)）
Ｎは階調数
を計算する。このとき、所定の目標色度（ｘＴ、ｙＴ）とした場合に、(ｘS(N)−ｘＴ)2＋(ｙS(N)−ｙＴ)2が最小値となるように３原色ＲＧＢの値（カラー信号）を計算する。このようにして得られるＲＧＢの値の組み合わせをカラー液晶パネル２に入力することにより、カラー液晶パネル２の青色偏移特性を補正することが可能となる。
（具体例１）
本発明のカラー表示装置１の具体例１であるカラー表示装置１１によって、青色偏移特性を補正する方法について説明する。
【００５７】
図３は、図１のカラー表示装置１１のＬＵＴ３１ａ〜３１ｃを経由して液晶パネル２に入力されるカラー信号の階調を変化させたときの無彩色の色度（ｘ、ｙ）の変化を示す図（菱形印で示す）であり、横軸は色度ｘ、縦軸は色度ｙを示している。
【００５８】
図３では、低入力階調レベル（全階調の約１／４以下）を除いて、無彩色の色度点を、最大輝度の色度点を目標色度（ｘＴ、ｙＴ）として、一点に集中させる場合である。
【００５９】
このような補正データを設定したＬＵＴ３１ａ〜３１ｃを作成するために、カラー表示装置１１では、上述した３原色の補正３刺激値階調特性を用いて３色の加法混色計算を行い、３色合成の色度（ｘS(N)、ｙS(N)）および目標色度（ｘＴ、ｙＴ）に対して、各成分毎の差を２乗した値の和、即ち(ｘS(N)−ｘＴ)2＋(ｙS(N)−ｙＴ)2が最小値となるように、緑色信号の階調レベルを基準として、青色信号および赤色信号の階調値Ｎを変化させている。このように、カラー信号の緑色信号の階調レベルを基準とすることにより、カラー液晶パネル２においてガンマ値の補正による表示特性の変動を抑えることができる。
【００６０】
図４は、本具体例１における赤色信号用ＬＵＴ３１ａ、緑色信号用ＬＵＴ３１ｂおよび青色信号用ＬＵＴ３１ｃにおける入出力データの関係を示す図であり、横軸は、外部から各色信号用ＬＵＴ３１ａ〜３１ｃに入力される各カラー信号の階調値（０〜２５５の階調値を０〜１で示している）を示し、縦軸は、各色信号用ＬＵＴ３１ａ〜３１ｃから出力されてカラー液晶パネル２に供給される各カラー信号の階調値（０〜２５５の階調値を０〜１で示している）を示している。
【００６１】
本具体例１では、目標色度が最大輝度の色度であり、青色信号用ＬＵＴ３１ｃ（三角印で示す曲線）は、緑色信号用ＬＵＴ３１ｂ（四角印で示す曲線）よりも出力レベルが低い値となっており、無彩色の色度を最大輝度色度点（目標色度点）に集中させて、カラー液晶パネル２の青色偏移を補正することができる。
【００６２】
なお、赤色信号用ＬＵＴ３１ａ（菱形印で示す曲線）により、無彩色の色度を目標色度に集中させることが可能となっている。低階調入力レベル（全階調の約１／４以下）では、カラー液晶パネル２が全暗の状態でも光漏れが生じること、および液晶材料の光分散が生じることなどによって、青色信号用ＬＵＴ３１ｃ、赤色信号ＬＵＴ３１ａによるカラー信号の補正によって無彩色の色度点を目標色度に集中させることは容易ではない。また、階調特性の測定精度が不十分であること、補間計算精度が悪いことなどによっても、実測値（計測値）と計算値（加法混色による合成値）とがずれることがある。
【００６３】
図３には、比較のために、青色信号のＬＵＴを用いて青色カラー信号のみを補正した従来例（四角印で示す）を、同時に示している。この場合には、無彩色の色度点を一点に集中させることはできているが、本具体例１に比べて黒体放射軌跡から離れており、補正精度が悪くなっている。
（具体例２）
本発明のカラー表示装置１の具体例２であるカラー表示装置１２によって、青色偏移特性を補正する方法について説明する。
【００６４】
図５は、図１のカラー表示装置１２のＬＵＴ３２ａ〜３２ｃを経由して液晶パネル２に入力される各カラー信号の階調を変化させたときの無彩色の色度（ｘ、ｙ）の変化を示す図（菱形印で示す）であり、横軸は色度ｘ、縦軸は色度ｙを示している。
【００６５】
本具体例２では、低入力階調レベル（全階調の約１／４以下）を除いて、無彩色の色度点を、黒体放射軌跡（実線で示す）上において、最大輝度色度点の相関色温度（９３７２度）より色温度を低く設定した点（６５００度：ｘＴ＝0.3128、ｙＴ＝0.3292）を目標色度として、一点に集中させる場合である。
【００６６】
目標色度は、白色の標準とされる黒体放射軌跡の近傍に選定することが望ましい。この軌跡から外れると、白の色味が緑色またはマゼンタ色となり、好ましくないからである。目標色度を黒体放射軌跡上の一点に設定することにより、低入力階調レベルを除いて、入力階調レベルによらず、無彩色の色度点を黒体放射軌跡の近傍に集中させることができる。
【００６７】
このような補正用データが設定されたＬＵＴ３２ａ〜３２ｃを作成するために、本具体例２では、上述した３原色の補正３刺激値階調特性を用いて３色の加法混色計算を行い、３色合成の色度（ｘS(N)、ｙS(N)）および目標色度（ｘＴ、ｙＴ）に対して、各成分毎の差を２乗した値の和、即ち(ｘS(N)−ｘＴ)2＋(ｙS(N)−ｙＴ)2が最小値となるように、緑色信号の階調レベルを基準として、青色信号および赤色信号の階調値Ｎを変化させている。このように、緑色信号の階調レベルを基準とすることにより、カラー液晶パネル２においてガンマ値の補正による表示特性の変動を抑えることができる。
【００６８】
図６は、本具体例２における赤色信号用ＬＵＴ３２ａ、緑色信号用ＬＵＴ３２ｂおよび青色信号用ＬＵＴ３２ｃにおける入出力データの関係を示すグラフであり、横軸は、外部から各色信号用ＬＵＴ３２ａ〜３２ｃに入力される各カラー信号の階調値（０〜２５５の階調値を０〜１で示している）を示し、縦軸は、各色信号用ＬＵＴ３２ａ〜３２ｃから出力されてカラー液晶パネル２に供給される各カラー信号の階調値（０〜２５５の階調値を０〜１で示している）を示している。
【００６９】
本具体例２では、目標色度が最大輝度色度点の相関色温度より色温度を低く設定した点の色度（６５００度：ｘＴ＝0.3128、ｙＴ＝0.3292）であり、ＬＵＴ３２ａ〜３２ｃの補正用データの最大値は各カラー信号毎に異なっている。目標色温度を低く設定したため、赤色信号用ＬＵＴ３２ａ（菱形印で示す曲線）の出力レベルが最大となり、緑色信号用ＬＵＴ３２ｂ（四角印で示す曲線）、青色信号用ＬＵＴ３２ｃ（三角印で示す曲線）の順に、出力レベルが低い値となっている。これによって、無彩色の色度を黒体放射軌跡上の一点に集中させて、カラー液晶パネル２の青色偏移を補正することができる。
【００７０】
図５には、比較のために、青色信号のＬＵＴを用いて青色カラー信号のみを補正した従来例（四角印で示す）を、同時に示している。この場合には、無彩色の色度点を一点に集中させることができておらず、入力階調レベルによって、無彩色の表示色が変化することになる。また、本具体例２に比べて黒体放射軌跡から離れた位置に色度点が移動しており、従来例では無彩色に色味が生じることになる。
（具体例３）
本発明のカラー表示装置１の具体例３であるカラー表示装置１３によって、青色偏移特性を補正する方法について説明する。
【００７１】
図７は、図１のカラー表示装置１３のＬＵＴ３３ａ〜３３ｃを経由してカラー液晶パネル２に入力される各カラー信号の階調を変化させたときの無彩色の色度（ｘ、ｙ）の変化を示す図（菱形印で示す）であり、横軸は色度ｘ、縦軸は色度ｙを示している。
【００７２】
本具体例３では、低入力階調レベル（全階調の約１／４以下）を除いて、無彩色の色度点を、黒体放射軌跡（実線で示す）上において、最大輝度色度点の相関色温度（６７３０度）より色温度を高く設定した点（１００００度：ｘＴ＝0.2788、ｙＴ＝0.2920）を目標色度として、一点に集中させる場合である。
【００７３】
目標色度は、白色の標準とされる黒体放射軌跡の近傍に選定することが望ましい。この軌跡から外れると、白の色味が緑色またはマゼンタ色となり、好ましくないからである。目標色度を黒体放射軌跡上の一点に設定することにより、低入力階調レベルを除いて、入力階調レベルによらず、無彩色の色度点を黒体放射軌跡の近傍に集中させることができる。
【００７４】
このような補正用データが設定されたＬＵＴ３３ａ〜３３ｃを作成するために、本具体例３では、上述した３原色の補正３刺激値階調特性を用いて３色の加法混色計算を行い、３色合成の色度（ｘS(N)、ｙS(N)）および目標色度（ｘＴ、ｙＴ）に対して、各成分毎の差を２乗した値の和、即ち(ｘS(N)−ｘＴ)2＋(ｙS(N)−ｙＴ)2が最小値となるように、緑色信号の階調レベルを基準として、青色信号および赤色信号の階調値Ｎを変化させている。このように、緑色信号の階調レベルを基準とすることにより、カラー液晶パネル２においてガンマ値の補正による表示特性の変動を抑えることができる。
【００７５】
図８は、本具体例３における赤色信号用ＬＵＴ３３ａ、緑色信号用ＬＵＴ３３ｂおよび青色信号用ＬＵＴ３３ｃにおける入出力データの関係を示す図であり、横軸は、外部から各色信号用ＬＵＴ３３ａ〜３３ｃに入力される各カラー信号の階調値（０〜２５５の階調値を０〜１で示している）を示し、縦軸は、各色信号用ＬＵＴ３３ａ〜３３ｃから出力されてカラー液晶パネル２に供給される各カラー信号の階調値（０〜２５５の階調値を０〜１で示している）を示している。
【００７６】
本具体例３では、目標色度が最大輝度色度点の相関色温度より色温度を高く設定した点の色度（１００００度：ｘＴ＝0.2788、ｙＴ＝0.2920）であり、各ＬＵＴ３３ａ〜３３ｃの補正用データの最大値は各カラー信号毎に異なっている。目標色温度を高く設定したため、入力階調レベルの高い領域において、青色信号用ＬＵＴ３３ｃ（三角印で示す曲線）の出力レベルが高くなり、赤色信号用ＬＵＴ３３ａ（菱形印で示す曲線）の出力レベルが低くなっているが、入力階調レベルが中程度の領域では、青色信号用ＬＵＴ３３ｃの出力レベルが最も低い値となっている。これによって、無彩色の色度を黒体放射軌跡上の一点に集中させて、カラー液晶パネル２の青色偏移を補正することができる。
【００７７】
図７には、比較のために、青色信号のＬＵＴを用いて青色カラー信号のみを補正した従来例（四角印で示す）を、同時に示している。この場合には、無彩色の色度点を一点に集中させることができておらず、入力階調レベルによって、無彩色の表示色が変化することになる。また、本具体例３に比べて黒体放射軌跡から離れた位置に色度点が移動しており、無彩色に色味が生じることになる。
（具体例４）
通常のカラー液晶パネルにおけるガンマ特性（入力信号レベル−発光特性）は、Ｓ字曲線や折れ線などとなっており、基準のガンマ値２．２とはなっていない。
【００７８】
そこで、本具体例４では、カラー液晶パネル２のガンマ曲線とガンマ値２．２の曲線との比を用いて、カラー液晶パネル２のガンマ曲線をガンマ値が２．２となるように補正する場合について説明する。
【００７９】
図９は、具体例３において図８に示すＬＵＴに対して、ガンマ値が２．２となるように補正を行った場合のＬＵＴの入出力特性を示す図であり、横軸は、外部から各色信号用ＬＵＴ３４ａ〜３４ｃに入力される各カラー信号の階調値（０〜２５５の階調値を０〜１で示している）を示し、縦軸は、各色信号用ＬＵＴ３４ａ〜３４ｃから出力されてカラー液晶パネル２に供給される各カラー信号の階調値（０〜２５５の階調値を０〜１で示している）を示している。
【００８０】
本具体例４では、緑色信号用ＬＵＴ３４ｂ（四角印で示す曲線）の入出力特性が直線ではなく、カラー液晶パネル２のガンマ曲線がガンマ値２．２となるような、曲線となっている。
【００８１】
なお、カラー液晶パネル２において、ガンマ値が２．０以上２．４以下の範囲に設定されていれば、インターネットなどを介して配信される基準の画像データに対して、充分に良好な表示を行うことが可能である。
【００８２】
以上により、上記実施形態の各具体例１〜４によれば、ＲＧＢの各原色の３刺激値階調特性を合成し、無彩色の３刺激値階調特性と、合成された３刺激値階調特性との比を補正係数として、各色の３刺激値階調特性のそれぞれを補正し、補正された各原色の３刺激値階調特性に基づいて３原色を合成した色度を算出した場合に、算出された色度と目標色度との差が最小値となるようにカラー信号を補正する。この場合にＬＵＴ（ルックアップテーブル）３ａ〜３ｃを用いて、カラー液晶パネル２に入力されるＲＧＢの各カラー信号を、無彩色が入力階調レベルに関わらず一定の色度となるように補正する。このため、加法混色による計算値と実測値とを一致させてカラー液晶パネル２の青色偏移特性を高精度に補正することができる。
【００８３】
また、本発明のカラー液晶表示装置１によれば、カラー補正された無彩色に基準色からの色ずれが生じないため、カラー補正された無彩色を輝度計で計測することや、カラー液晶表示装置１に無彩色の輝度階調パッチを表示させて目視確認することができる。
【００８４】
さらに、本発明によれば、例えばカラー液晶パネル２における色バランスの歪を容易に補正することができるため、カラー液晶表示装置１において、カラー液晶パネル２のユニットを交換する場合においても、各々異なる色特性を有するカラー液晶パネル２の特性差を容易に補正することができる。
【００８５】
さらに、本発明は、カラー液晶パネル２以外の各種カラー表示パネルに対しても利用可能であり、また、他の種類の表示パネルに交換する場合にも、各々の表示パネルの特性に応じた測定データを用いて、本発明のカラー表示補正方法によりＬＵＴの補正用データを作成したり、ソフトウェアによってカラー信号を補正することができるため、様々な特性を有するカラー表示パネル２に対して、広く活用することが可能である。
【００８６】
【発明の効果】
以上により、本発明によれば、３原色（ＲＧＢ）のそれぞれの３刺激値階調特性の測定値を合成し、無彩色の３刺激値階調特性の測定値と、合成された３刺激値階調特性との比を補正係数として、各３原色の３刺激値階調特性の測定値のそれぞれを補正し、補正された各色の３刺激値階調特性に基づいて３原色を合成した任意の色度を算出することによって、無彩色の色度の計算値（加法混色による合成値）と実測値とを一致させることができる。よって、例えばカラー液晶パネルにおける青色偏移特性を補正するために、カラー信号の補正を行う際にも、補正の精度を向上させることができる。
【００８７】
補正された各３原色の３刺激値階調特性から３色を合成した色度を算出する場合に、無彩色が、入力階調レベルに関わらず一定の色度となるように、カラー信号を補正することによって、従来技術の補正方法において生じていたような無彩色を表示する際の基準色からの色ずれを防ぐことができる。また、入力階調レベルが低い領域（例えば全階調の約１／４以下）では、液晶パネルの光漏れや光分散などによって目標色度に集中させることができないことがあるため、少なくとも入力階調レベルが高い領域および中程度の領域において、算出された色度と目標色度との差が最小値になるように、カラー信号を補正することが好ましい。
【００８８】
補正された各色の３刺激値階調特性によって色度を算出してカラー信号の補正を行うことにより、基準色からの色ずれの少ないカラー表示が可能となる。特に、各カラー信号毎に、予め補正用データを計算しておき、補正用ルックアップテーブルを設けることによって、補正処理をさらに容易に行うことができる。
【００８９】
無彩色の目標色度は、例えば無彩色の最大階調値における色度点としてもよく、それ以外の色度点としてもよい。目標色度を無彩色の最大階調値以外の色度点とした場合には、各カラー信号で出力レベルの最大値は異なったものになる。また、無彩色の目標色度を、黒体放射軌跡の近傍の点とすることによって、無彩色が着色（緑色やマゼンタ色等の色味）することを防ぐことができる。
【００９０】
青色信号の出力レベルを、緑色信号および赤色信号よりも低く設定することによって、カラー液晶パネルなどにおける青色偏移特性を補正することができる。この場合、青色信号、緑色信号および赤色信号のそれぞれを補正することができるが、緑色信号の階調レベルを基準として赤色信号および青色信号を補正することによって、カラー液晶パネルにおいてガンマ値の補正による表示特性の変動を抑制することができる。また、青色信号に加えて、赤色信号を補正することによって、無彩色の色度を目標色度に集中させることができ、無彩色の表示色の変化を防ぐことができる。従来の補正方法では無彩色の色度点を一点に集めることができず、無彩色を表示する際に基準色からの色ずれが生じていたが、本発明によれば、このような無彩色の色ずれは生じない。
【００９１】
カラー液晶パネルにおいて、無彩色出力時のガンマ特性を２．０以上２．４以下の範囲に設定することによって、インターネット等によって配信される画像データに対して、充分な表示特性を得ることができる。
【図面の簡単な説明】
【図１】本発明のカラー液晶表示装置の実施形態における要部構成を示すブロック図である。
【図２】本発明の加法混色計算方法における３刺激値（Ｘ、Ｙ、Ｚ）に対する補正係数の一例を示す図である。
【図３】本発明の具体例１において、カラー液晶パネルに入力されるカラー信号の階調を変化させたときの無彩色の色度（ｘ、ｙ）の変化を従来例と比較して示す図である。
【図４】本発明の具体例１におけるＬＵＴの入出力特性を示す図である。
【図５】本発明の具体例２において、カラー液晶パネルに入力されるカラー信号の階調を変化させたときの無彩色の色度（ｘ、ｙ）の変化を従来例と比較して示す図である。
【図６】本発明の具体例２におけるＬＵＴの入出力特性を示す図である。
【図７】本発明の具体例３において、カラー液晶パネルに入力されるカラー信号の階調を変化させたときの無彩色色度（ｘ、ｙ）の変化を従来例と比較して示す図である。
【図８】本発明の具体例３におけるＬＵＴの入出力特性を示す図である。
【図９】本発明の具体例４におけるＬＵＴの入出力特性を示す図である。
【図１０】従来のカラー液晶パネルにおける無彩色の３刺激値階調特性（Ｘ，Ｙ，Ｚ）の加法混色計算による合成値と計測値との不一致を説明するための図である。
【図１１】従来のカラー液晶パネルにおいて、入力信号の階調を変化させたときの無彩色の色度（ｘ、ｙ）の変化を示す図である。
【符号の説明】
１    カラー液晶表示装置
２，２１，２２，２３，２４  カラー液晶パネル
３    信号補正部
３ａ，３１ａ，３２ａ，３３ａ，３４ａ    赤色信号用ルックアップテーブル
３ｂ，３１ｂ，３２ｂ，３３ｂ，３４ｂ    緑色信号用ルックアップテーブル
３ｃ，３１ｃ，３２ｃ，３３ｃ，３４ｃ    青色信号用ルックアップテーブル
【図１】
0003871120.tif 000002
【図２】
0003871120.tif 000003
【図３】
0003871120.tif 000004
【図４】
0003871120.tif 000005
【図５】
0003871120.tif 000006
【図６】
0003871120.tif 000007
【図７】
0003871120.tif 000008
【図８】
0003871120.tif 000009
【図９】
0003871120.tif 000010
【図１０】
0003871120.tif 000011
【図１１】
0003871120.tif 000012